(57)【要約】  【課題】種々の使用態様において見出しを適切な位置に臨ませることができる仕切りスタンドを提供する。  【解決手段】物品載置面上を仕切るための仕切体１を具備してなり、この仕切体１の起立した両外縁部分１ｂ、１ｃに見出しを付すための見出し用突出部３がそれぞれ設けられている構成の仕切りスタンドＳを採用する。【選択図】図１
2018019761.tif 000002
【特許請求の範囲】
【請求項１】
物品載置面上を仕切るための仕切体を具備してなり、この仕切体の起立した両外縁部分に見出しを付すための見出し用突出部がそれぞれ設けられている仕切りスタンド。
【請求項２】
前記仕切体が、前記物品載置面上に載置されるベースに立設されたものである請求項１記載の仕切りスタンド。
【請求項３】
前記仕切体及び前記ベースがそれぞれ板状のものであり、前記仕切体が前記ベースの一端縁から立ち上げられたものである請求項２記載の仕切りスタンド。
【請求項４】
前記仕切体の前記外縁部分が、それぞれ略鉛直な上部外縁辺と、この上部外縁辺の下端から所定の角度をなして内側に延びる中間外縁辺と、この中間外縁辺の下端から略鉛直に延びる下部外縁辺とを備えたものである請求項１、２又は３記載の仕切りスタンド。
【請求項５】
前記見出し用突出部が前記上部外縁辺に対応する部位に形成されたものである請求項４記載の仕切りスタンド。
【発明の詳細な説明】
【技術分野】
【０００１】
本発明は、オフィスや倉庫に装備されたラック等と組み合わせて使用される仕切りスタンドに関するものである。
【背景技術】
【０００２】
従来、この種の仕切りスタンドとして、オフィスや倉庫に装備されたラック等の棚上に形成された物品載置面に移動可能に載置される板状のベースと、このベースに立設された板状の仕切体とを備え、前記仕切体により前記物品載置面上を複数の区域に仕切るようにしたものが知られている（例えば、特許文献１を参照）。
【０００３】
ところが、従来のものは、仕切体の起立した対をなす外縁部分の一方にだけ見出しを付すことができるようになっている。そのため、前側のみからアクセス可能なラックの棚上に一定の配向姿勢で載置して使用する場合には好都合であるが、前後両側からアクセス可能なラックに使用した場合、前後いずれかの側には見出しを付すことができないという不便さがある。また、前側のみからアクセスするラック等に使用した場合でも、前記仕切りスタンドの配向姿勢を左右反転させると、見出しをラック前面に臨ませることができないという不具合もある。
【先行技術文献】
【特許文献】
【０００４】
【特許文献１】特許第３９１９７９３号公報
【発明の概要】
【発明が解決しようとする課題】
【０００５】
本発明は、このような事情に着目してなされたもので、種々の使用態様において見出しを適切な位置に臨ませることができる仕切りスタンドを提供することを目的とする。
【課題を解決するための手段】
【０００６】
すなわち、本発明は次の構成をなしている。
【０００７】
請求項１に記載の仕切りスタンドは、物品載置面上を仕切るための仕切体を具備してなり、この仕切体の起立した両外縁部分に見出しを付すための見出し用突出部がそれぞれ設けられている。
【０００８】
請求項２に記載の仕切りスタンドは、請求項１に係る構成において、前記仕切体が、前記物品載置面上に載置されるベースに立設されたものである。
【０００９】
請求項３に記載の仕切りスタンドは、請求項２に係る構成において、前記仕切体及び前記ベースがそれぞれ板状のものであり、前記仕切体が前記ベースの一端縁から立ち上げられたものである。
【００１０】
請求項４に記載の仕切りスタンドは、請求項１、２又は３に係る構成において、前記仕切体の前記外縁部分が、それぞれ略鉛直な上部外縁辺と、この上部外縁辺の下端から所定の角度をなして内側に延びる中間外縁辺と、この中間外縁辺の下端から略鉛直に延びる下部外縁辺とを備えたものである。
【００１１】
請求項５に記載の仕切りスタンドは、請求項４に係る構成において、前記見出し用突出部が前記上部外縁辺に対応する部位に形成されたものである。
【発明の効果】
【００１２】
本発明によれば、種々の使用態様において見出しを適切な位置に臨ませることができる仕切りスタンドを提供することができる。
【図面の簡単な説明】
【００１３】
【図１】本発明の一実施形態に係る仕切りスタンドの正面側斜視図。
【図２】同実施形態に係る仕切りスタンドの背面側斜視図。
【図３】同実施形態に係る仕切りスタンドの正面図。
【図４】同実施形態に係る仕切りスタンドの右側面図。
【図５】同実施形態に係る仕切りスタンドの平面図。
【図６】同実施形態に係る仕切りスタンドの使用態様を示す斜視図。
【発明を実施するための形態】
【００１４】
以下、本発明の一実施形態について、図１〜図６を参照しつつ説明する。
【００１５】
この実施形態は、本発明に係る仕切りスタンドＳを、オフィスや倉庫等に装備された前後両面からアクセス可能なラックＲの棚板Ｒ１上に配置して使用する場合のものである。
【００１６】
この仕切りスタンドＳは、前記棚板Ｒ１の物品載置面Ｒ１ａ上を仕切るための仕切体１を具備してなるもので、この仕切体１の起立した両外縁部分１ｂ、１ｃに見出しを付すための見出し用突出部３がそれぞれ設けられている。すなわち、この仕切りスタンドＳは、図１〜図５に示すように、前記物品載置面Ｒ１ａを形成する前記ラックＲの棚板Ｒ１上に配されるベース２と、このベース２に立設され前記物品載置面Ｒ１ａ上を左右に区成する前記仕切体１とを備えてなり、前記仕切体１が、前後方向の両外縁部分１ｂ、１ｃに前記見出し用突出部３をそれぞれ備えたものである。
【００１７】
前記仕切体１及び前記ベース２は、それぞれ板状のものである。前記仕切体１は、図１〜図３に示すように、前記ベース２の一端縁２ａから立ち上げられたものである。すなわち、この仕切りスタンドＳは、板金素材に打ち抜き及び折り曲げ加工を施すことにより作られたもので、前記仕切体１及びベース２は板金製の一体成形品である。
【００１８】
前記仕切体１は、図１、図２及び図４に示すように、前後の外縁部分１ｂ、１ｃが、それぞれ略鉛直な上部外縁辺１ｂ１、１ｃ１と、この上部外縁辺１ｂ１、１ｃ１の下端から所定の角度、具体的には１３５度の角度をなして内側に延びる中間外縁辺１ｂ２、１ｃ２と、この中間外縁辺１ｂ２、１ｃ２の下端から略鉛直に延びる下部外縁辺１ｂ３、１ｃ３とを備えたものであり、前記見出し用突出部３が前記上部外縁辺１ｂ１、１ｃ１に対応する部位に形成されている。詳述すれば、前記仕切体１は、配置状態において略水平をなす上辺１ａと、この上辺１ａの前後両端部から下方に垂下する前側の上部外縁辺１ｂ１及び後側の上部外縁辺１ｃ１と、これら前側の上部外縁辺１ｂ１及び後側の上部外縁辺１ｃ１の下端から下方に向かって漸次相寄る方向に延びる前側の中間外縁辺１ｂ２及び後側の中間外縁辺１ｃ２と、これら前側の中間外縁辺１ｂ２及び後側の中間外縁辺１ｃ２の下端からそれぞれ下方に垂下して前記ベース２に至る前側の下部外縁辺１ｂ３及び後側の下部外縁辺１ｃ３とを備えたものであり、前側の上部外縁辺１ｂ１及び後側の上部外縁辺１ｃ１に対応する部位に前記見出し用突出部３がそれぞれ形成されている。従って、前記前側の見出し用突出部３は、上辺１ａの前端部分１ａ１と、前側の上部外縁辺１ｂ１と、前側の中間外縁辺１ｂ２により囲まれた領域に形成されている。同様に、前記後側の見出し用突出部３は、上辺１ａの後端部分１ａ２と、後側の上部外縁辺１ｃ１と、後側の中間外縁辺１ｃ２により囲まれた領域に形成されている。さらに、この仕切体１の上部における前後方向中間部分には、厚み方向に貫通する窓１ｄを設けている。この仕切体１の奥行き寸法ｄ１は、ラックＲの棚板Ｒ１の奥行き寸法Ｒｄに略対応した寸法に設定されている。
【００１９】
この実施形態における見出し用突出部３は、平板状をなしているため、直接見出しを記入したり、図１、図２、図４及び図６における想像線に示すように、見出しを記入したシートｓｈを貼り付けたりして使用することができる。
【００２０】
前記ベース２は、図１、図２、図３及び図５に示すように、前記仕切体１の下端１ｅに連続する平面視長方形状のもので、その前側の辺２ｂと後側の辺２ｃとは平行をなしており、それらの離間距離ｄ２は、前記仕切体１の前側の下部外縁辺１ｂ３と後側の下部外縁辺１ｃ３との間の離間距離ｄ３と等しく設定されている。このベース２には、棚板Ｒ１に固定するためのビス穴等を設けるようにしてもよい。
【００２１】
ここで、前記前側の中間外縁辺１ｂ２及び前記後側の中間外縁辺１ｃ２の中央から前記上辺１ａまでの距離ｄ４は、前記仕切体１の高さ寸法ｈと前記ベース２の幅寸法ｗの和の半分である。換言すれば、この仕切りスタンドＳを平板状に展開した状態のものにおいて、長手方向の中央に前記前側の中間外縁辺１ｂ２及び前記後側の中間外縁辺１ｃ２の中央が位置するように設定している。
【００２２】
このような構成のものであれば、図６に示すように、ラックＲの棚板Ｒ１上に単数又は複数載置して使用することができる。この場合、仕切体１の前後の両外縁部分１ｂ、１ｃに見出し用突出部３が形成されているため、ラックＲの前面側のみならず背面側にも見出しを臨ませることができる。また、同図に示すように、この仕切りスタンドＳを前後左右反転させた状態で載置しても、同様に、ラックＲの前面側のみならず背面側にも見出しを臨ませることができる。
【００２３】
また、この実施形態では、ベース２の一端縁２ａから仕切体１を起立させているため、仕切体１を棚板Ｒ１の左右両端近傍、すなわち側板Ｒ２を有するラックＲにおける側板Ｒ２の近傍にまで配置することが可能になる。そのため、区画態様の自由度が高まるだけでなく、側板Ｒ２を有さないオープンラックＲに使用した場合には、この仕切体１を側板Ｒ２の代替要素として機能させることもでき、棚板Ｒ１上の物品の落下を有効に防止することができる。さらに、前記仕切体１をベース２に立設させていることにより、この仕切りスタンドＳは自立可能であるので、棚板Ｒ１上の任意の位置に設置することができる。加えて、前記仕切体１の奥行き寸法ｄ１を棚板Ｒ１の奥行き寸法Ｒｄに対応させた寸法としているので、仕切りスタンドＳがずれにくく、ラックＲ内に収納した小物備品等の整理を行いやすくすることができるとともに、側板Ｒ２を有さないオープンラックＲに使用した場合には、棚板Ｒ１上の物品の落下をより有効に防止することができる。
【００２４】
さらに、この実施形態では、前記仕切体１の前記外縁部分１ｂ、１ｃが、それぞれ略鉛直な上部外縁辺１ｂ１、１ｃ１と、この上部外縁辺１ｂ１、１ｃ１の下端から１３５度の角度をなして内側に延びる中間外縁辺１ｂ２、１ｃ２と、この中間外縁辺１ｂ２、１ｃ２の下端から略鉛直に延びる下部外縁辺１ｂ３、１ｃ３とを備えたものであり、前記前側の中間外縁辺１ｂ２及び前記後側の中間外縁辺１ｃ２の中央から前記上辺１ａまでの距離が、前記仕切体１の高さ寸法ｈと前記ベース２の幅寸法ｗの和の半分であることから、矩形状の板金素材に打ち抜き加工を施すことにより、折曲げ加工を施してこの仕切りスタンドＳとなるべき金属板を、長手方向中央を通る軸に対して対称な形状で２枚同時に形成できる。すなわち、このような構成により、板金素材をより有効に活用することができる。
【００２５】
そして、前記見出し用突出部３が前記上部外縁辺１ｂ１、１ｃ１に対応する部位に形成されたものであるので、この見出し用突出部３や、該見出し用突出部３に貼付されたシートｓｈに記入された見出しが視認しやすい。
【００２６】
なお、本発明は以上に述べた実施形態に限らない。
【００２７】
例えば、上述した実施形態では、前後両面からアクセス可能なラックの棚上に本発明に係る仕切りスタンドを配置しているが、前面のみからアクセス可能なラックの棚上に本発明に係る仕切りスタンドを配置してもよい。このような使用態様を採用した場合であっても、本発明の最も主要な効果を得ることはできる。すなわち、仕切体がベースの左側端縁から起立する設置態様及び仕切体がベースの右側端縁から起立する設置態様のいずれであっても見出しをラック前面に臨ませることができる。換言すれば、いずれの使用態様においても見出しを適切な位置に臨ませることができる。
【００２８】
また、見出し用突出部は、平板状に限らず、見出し用のラベルを嵌め込むことができる溝や突条を備えたものであってもよい。
【００２９】
さらに、上述した実施形態では、仕切体を物品載置面上に載置されるベースに立設させることにより、仕切りスタンドを自立可能にしているが、ベースを備えない態様、一例として仕切体を直接に棚板のスリット等に取付ける態様を採用してももちろんよい。
【００３０】
加えて、上述した実施形態では、前記仕切体及び前記ベースがそれぞれ板状のものであり、前記仕切体を前記ベースの一端縁から立ち上げる構成を採用しているが、仕切体がベースの端縁以外の箇所から起立する構成を採用してももちろんよい。このような構成の一例として、板金素材に打ち抜き及び折り曲げ加工を施すことにより作られ、矩形状のベース本体及びこのベース本体の一端縁から突出する突起部を有するベースと、前記ベースのベース本体の一端縁から起立し下部に前記ベースの突起部に対応する形状の窓を有する仕切体とを備える構成のものが考えられる。
【００３１】
仕切体の外縁部分の形状も、見出しを付すための見出し用突出部がそれぞれ設けられているものであれば、上述した実施形態に係るもの以外に、例えば、仕切体の両外縁の高さ方向中央部を外方に突出させて見出し用突出部を形成するものや、略鉛直な上部外縁辺と、この上部外縁辺の下端からベースとの境界に向けて漸次内方に向かう下部外縁辺とからなるものや、略鉛直な上部外縁辺と、この上部外縁辺の下端から１３５度以外の所定の角度、例えば１２０度の角度をなして内側に延びる中間外縁辺と、この中間外縁辺の下端から略鉛直に延びる下部外縁辺とを備えたもの等、種々の形状を採用してよい。
【００３２】
その他、本発明の趣旨を損ねない範囲で種々に変更してよい。
【符号の説明】
【００３３】
Ｓ…仕切りスタンド
１…仕切体
１ｂ、１ｃ…外縁部分
１ｂ１、１ｃ１…上部外縁辺
１ｂ２、１ｃ２…中間外縁辺
１ｂ３、１ｃ３…下部外縁辺
２…ベース
２ａ…一端縁
３…見出し用突出部
Ｒ１ａ…物品載置面
【図１】
2018019761.tif 000003
【図２】
2018019761.tif 000004
【図３】
2018019761.tif 000005
【図４】
2018019761.tif 000006
【図５】
2018019761.tif 000007
【図６】
2018019761.tif 000008